(57)【要約】      （修正有）【課題】移動時に背負ったまま必要な荷物を取り出し、また収納できるようにするとともに、肩幅の狭い人でも固定せずに楽に背負いながら、滑落を防止することができ、抱っこ紐を併用したときも使いやすいリュックサックを提供する。【解決手段】背負いベルト１０、１０が上方から下方へ向かって外側に湾曲した形状であり、上端部近接まで移動する上下動可能なチェストベルト１５を備え、背当て面２の下方にはファスナーで開閉する第１のポケットが形成されていて、ファスナーは２個のスライダーを備えている。また背当て面２の左右下方にはファスナーで上下方向に開閉するリュックサック１本体の開口部が形成されていて、背当て面内側にポケット前面内側にポケット、両側面の内側にポケットがそれぞれ設けられている。【選択図】図１
2020069037.tif 000002
【特許請求の範囲】
【請求項１】
背負いベルトが上方から下方へ向かって外側に湾曲した形状であるとともに、少なくとも上端部近接まで移動する上下動可能なチェストベルトを備えていること、及び前記背負いベルトを備えた背当て面の下方には、ファスナーで開閉する第１のポケットが形成されていて、当該ファスナーは２個のスライダーを備えていること、
を特徴とするリュックサック。
【請求項２】
前記チェストベルトは、前記背負いベルト表面に形成されたレールを介して移動可能であること、
を特徴とする請求項１に記載のリュックサック。
【請求項３】
前記左右の背負いベルトの下端には、着脱可能なバックルを備えたテープが形成されていて、当該テープを介してリュックサック本体の下端と接続されていること、
を特徴とする請求項１又は２に記載のリュックサック。
【請求項４】
前記テープと前記背負いベルトとは、２ヶ所において固着されていて、非固着部分は前記テープと前記背負ベルトとの間に隙間を有すること、
を特徴とする請求項３に記載のリュックサック。
【請求項５】
前記背負いベルトは、下端がリュックサック本体との非接続時において、自重により一部が互いに交差するように形成されていること、
を特徴とする請求項３又は４に記載のリュックサック。
【請求項６】
前記背負いベルトは、厚みが１０ｍｍ以下、幅が５０ｍｍ以下で形成され、緩衝材を内包していること、
を特徴とする請求項１から５までに記載のリュックサック。
【請求項７】
前記背当て面には、前記各背負いベルト上端との固着面の直下において第２のポケットが形成されており、当該第２のポケットはリュックサック本体の下端まで延出されていること、
を特徴とする請求項１から６までのいずれか１項に記載のリュックサック。
【請求項８】
前記第２のポケット内には、着脱可能なバックルを備えたデープが収納されており、当該テープの端部は前記第２のポケット内においてリュックサック本体と固着されていること、
を特徴とする請求項７に記載のリュックサック。
【請求項９】
前記背当て面の左右下方又はリュックサック本体の両側面下方には、ファスナーで上下方向に開閉するリュックサック本体の開口部がそれぞれ形成されていること、
を特徴とする請求項１から８までのいずれか１項に記載のリュックサック。
【請求項１０】
前記背当て面の下端部には、内部がビニール素材で表装され、ファスナーで横方向に開閉する第３のポケットが形成されていること、
を特徴とする請求項１から９までのいずれか１項に記載のリュックサック。
【請求項１１】
前記両側面下方には、下膨れ状の第４のポケットが形成されていて、当該第４のポケット内にはＤリングが設けられていること、
を特徴とする請求項１から１０までのいずれか１項に記載のリュックサック。
【請求項１２】
リュックサック本体の前面上方縁部には、リュックサック本体を開閉するためのファスナーが形成されていて、当該ファスナーの両端部が前記第４のポケット内部に位置していること、
を特徴とする請求項１１に記載のリュックサック。
【請求項１３】
リュックサック本体の下端部周縁には、折りたたみされた収納部を引き出すためのファスナーが形成されていること、
を特徴とする請求項１から１２までのいずれか１項に記載のリュックサック。
【請求項１４】
前記ファスナーの端部には、スライダーの引手を収納するためのポケットが設けられていること、
を特徴とする請求項９又は１０に記載のリュックサック。
【請求項１５】
リュックサック本体の前面下部には、ファスナーで開閉を行う第５のポケットが形成されていて、当該ファスナーの端部周辺には、スライダーの引手を収納するためのポケットが設けられていること、
を特徴とする請求項１から１４までのいずれか１項に記載のリュックサック。
【請求項１６】
前記背当て面の内側には、前記開口部上端より低い位置にポケットが形成されていること、
を特徴とする請求項９から１５までのいずれか１項に記載のリュックサック。
【請求項１７】
リュックサック本体の前面の内側には、メッシュ生地を備えたポケットが形成されていること、
を特徴とする請求項１から１６までのいずれか１項に記載のリュックサック。
【請求項１８】
前記背当て面内側及び／又はリュックサック本体の前面内側には、Ｄリングが設けられていること、
を特徴とする請求項１から１７までのいずれか１項に記載のリュックサック。
【請求項１９】
前記開口部に形成されたファスナーの直近であって、両側面内側にはポケットがそれぞれ形成されていること、
を特徴とする請求項９から１８までのいずれか１項に記載のリュックサック。
【請求項２０】
前記背当て面内側上部にはファスナーで開閉を行うポケットが形成されていること、
を特徴とする請求項１から１９までのいずれか１項に記載のリュックサック。
【発明の詳細な説明】
【技術分野】
【０００１】
本発明は、多機能を有するリュックサックに関する。
【背景技術】
【０００２】
従来より必要な物が容易に取出せ、使い勝手のよいリュックサックが様々開発されている。例えば、乳幼児を連れて歩くときに、バッグの中に収納した物を容易に取り出すことができるようにした、いわゆるマザーズバッグなどがある（特許文献１）。
【先行技術文献】
【特許文献】
【０００３】
【特許文献１】特開２００２−３２７
【０００４】
しかしながら、乳幼児を連れて歩いているときは、子供と手をつないだり、抱えたりして手が放せないことが多く、バッグを背負った状態で必要な物を簡単に取り出したいということが切望されていた。
【０００５】
また、肩幅が狭い人やなで肩の人は背負っている途中でリュックサックが落ちてきてしまうことがあり、手が塞がれている状態では、背負い直すことが難しい。この点、背負いベルトの胸元のあたりにチェストベルトをつけてリュックサックが落ちないように固定するものがある。しかしながら、従来のチェストベルトは、胸又は胸より下でリュックサックと体を固定するために、特に女性の場合、胸がきつくなって痛みをおぼえたりすることがあった。さらに、チェストベルトをしながらリュックサックを背負っている状態では、中の物を取り出しづらい。
【０００６】
さらにまた、乳幼児を「抱っこ紐」を使用して抱っこする場合、抱っこ紐は子供を抱っこするための補助具であることから、通常の抱っこ紐の背負いの肩にかかる部分には厚みがあり、従来のリュックサックでは重ねて使用すると肩にかけづらいという問題があった。また、リュックサックの背負いベルトの上に抱っこ紐を重ねて背負った場合、リュックサック内のものを取り出したいときは先に子供を降ろして抱っこ紐をはずさなければならず、不便であった。
【発明の概要】
【発明が解決しようとする課題】
【０００７】
本発明の主たる目的は、育児や仕事での移動時に背負ったまま必要な荷物を取り出し、また収納できるようにするとともに、肩幅の狭い人でも固定せずに楽に背負いながら、背負の滑落を防止することができ、抱っこ紐を併用したときも使いやすいリュックサックを提供することにある。
【課題を解決するための手段】
【０００８】
上記目的を達成するため、本発明に係るリュックサックの第１の特徴は、背負いベルトが上方から下方へ向かって外側に湾曲した形状であるとともに、少なくとも上端部近接まで移動する上下動可能なチェストベルトを備えていること、及び前記背負いベルトを備えた背当て面の下方には、ファスナーで開閉する第１のポケットが形成されていて、当該ファスナーは２個のスライダーを備えていることにある。
【０００９】
また、本発明に係るリュックサックの第２の特徴は、前記第１の特徴におけるチェストベルトが、背負いベルト表面に形成されたレールを介して移動可能であることにある。
【００１０】
さらに、本発明に係るリュックサックの第３の特徴は、前記第１又は第２の特徴における左右の背負いベルトの下端に、着脱可能なバックルを備えたテープが形成されていて、当該テープを介してリュックサック本体の下端と接続されていることにある。
【００１１】
さらにまた、本発明に係るリュックサックの第４の特徴は、前記第３の特徴におけるテープと背負いベルトは、２ヶ所において固着されていて、非固着部分は前記テープと前記背負ベルトとの間に隙間を有することにある。
【００１２】
また、本発明に係るリュックサックの第５の特徴は、前記第３又は第４の特徴における背負いベルトの下端がリュックサック本体との非接続時において、自重により一部が互いに交差するように形成されていることにある。
【００１３】
さらに、本発明に係るリュックサックの第６の特徴は、前記第１から第５までのいずれかの特徴における背負いベルトが、厚みが１０ｍｍ以下、幅が５０ｍｍ以下で形成され、緩衝材を内包していることにある。
【００１４】
さらにまた、本発明に係るリュックサックの第７の特徴は、前記第１から第６までのいずれかの特徴における背当て面に、各背負いベルト上端との固着面の直下において第２のポケットが形成されており、当該第２のポケットはリュックサック本体の下端まで延出していることにある。
【００１５】
また、本発明に係るリュックサックの第８の特徴は、前記第７の特徴における第２のポケット内に、着脱可能なバックルを備えたデープが収納されており、当該テープの端部は第２のポケット内においてリュックサック本体と固着されていることにある。
【００１６】
また、本発明に係るリュックサックの第９の特徴は、前記第１から第８までのいずれかの特徴における背当て面の左右下方又はリュックサック本体の両側面下方に、ファスナーで上下方向に開閉するリュックサック本体の開口部がそれぞれ形成されていることにある。
【００１７】
さらにまた、本発明に係るリュックサックの第１０の特徴は、前記第１から第９までのいずれかの特徴における背当て面の下端部に、内部がビニール素材で表装され、ファスナーで横方向に開閉する第３のポケットが形成されていることにある。
【００１８】
また、本発明に係るリュックサックの第１１の特徴は、前記第１から第１０までのいずれかの特徴における両側面下方に、下膨れ状の第４のポケットが形成されていて、当該第４のポケット内にはＤリングが設けられていることにある。
【００１９】
さらに、本発明に係るリュックサックの第１２の特徴は、前記第１１の特徴におけるリュックサック本体の前面上方縁部に、リュックサック本体を開閉するためのファスナーが形成されていて、当該ファスナーの両端部が第４のポケット内部に位置していることにある。
【００２０】
さらにまた、本発明に係るリュックサックの第１３の特徴は、前記第１から第１２までのいずれかの特徴におけるリュックサック本体の下端部周縁に、折りたたみされた収納部を引き出すためのファスナーが形成されていることにある。
【００２１】
また、本発明に係るリュックサックの第１４の特徴は、前記第９又は第１０の特徴におけるファスナーの端部周辺に、スライダーの引手を収納するためのポケットが設けられていることにある。
【００２２】
さらに、本発明に係るリュックサックの第１５の特徴は、前記第１から第１４までのいずれかの特徴におけるリュックサック本体の前面下部に、ファスナーで開閉を行う第５のポケットが形成されていて、当該ファスナーの端部周辺には、スライダーの引手を収納するためのポケットが設けられていることにある。
【００２３】
さらにまた、本発明に係るリュックサックの第１６の特徴は、前記第９から第１５までのいずれかの特徴における背当て面の内側に、開口部上端より低い位置に複数のポケットが形成されていることにある。
【００２４】
また、本発明に係るリュックサックの第１７の特徴は、前記第１から第１６までのいずれかの特徴におけるリュックサック本体の前面の内側に、メッシュ生地を備えたポケットが形成されていることにある。
【００２５】
さらに、本発明に係るリュックサックの第１８の特徴は、前記第１から第１７までのいずれかの特徴における背当て面内側及び／又はリュックサック本体の前面内側に、Ｄリングが設けられていることにある。
【００２６】
さらにまた、本発明に係るリュックサックの第１９の特徴は、前記第９から第１８までのいずれかの特徴における開口部に形成されたファスナーの直近であって、両側面内側にはポケットがそれぞれ形成されていることにある。
【００２７】
また、本発明に係るリュックサックの第２０の特徴は、前記第１から第１９までのいずれかの特徴における背当て面内側上部にファスナーで開閉を行うポケットが形成されていることにある。
【発明の効果】
【００２８】
本発明によれば、体にしっかりと固定することなく、リュックサックの滑落を防止することができ、リュックサックを楽に背負うことができる。また、リュックサックを背負った状態でリュックサック内やポケットに物を収納したり、そこから物を取り出すことが容易となる。さらに、抱っこ紐と併用して利用した際も肩に負担をかけずに背負うことができ、抱っこ紐をして子供を抱えたままでもリュックサックのみを下ろすことが可能となる。
【図面の簡単な説明】
【００２９】
【図１】リュックサックの背面図であり、背当て面を示した図である。
【図２】リュックサックの背当て面において背負いベルトの下端部が背当て面から分離している状態を示す図である。
【図３】背負いベルトのみを抽出した図である。
【図４】背負いベルトにチェストベルトが装着されていないときの背負いベルトの動きを示した状態図である。
【図５】背負いベルトにチェストベルトが装着されたときの背負いベルトの動きを示した状態図である。
【図６】リュックサックの背当て面で、背負いベルトを取り外した状態の説明図ある。
【図７】背当て面の第２のポケット内に収納されているテープ及びそのバックル部分の説明図である。
【図８】リュックサックの底部に収納された収納部が展開している状態を示す背当て面の説明図である。
【図９】リュックサックの正面図である。
【図１０】リュックサックの右側面図である。
【図１１】背当て面の内側の状態を示す説明図である。
【図１２】前面及び両側面の内側の状態を示す説明図である。
【発明を実施するための最良の形態】
【００３０】
以下、図面を参照して、本発明に係るリュックサックの実施の形態を実施例に沿って詳細に説明する。
【実施例１】
【００３１】
図中１はリュックサック本体であり、背当て面２、前面３、両側面４、４、底面５、上面６とから大略構成されている。
【００３２】
図１から図８は主に背当て面２について説明するものである。背当て面２は、リュックサック１を背負った際、背中に当たる部分で、背負いベルト１０、１０を備えている。背負いベルト１０、１０は、上方から下方へ向かって外側に湾曲した形状に形成されていて、それらの上端部は背当て面２の上端部２８、２８と縫着されている。また、背負いベルト１０、１０の厚みは１０ｍｍ以下であり、幅は５０ｍｍ以下に形成されている。背負いベルト１０、１０の内部には、緩衝材が内包されており、柔らかい素材だけを使用する場合と、柔らかい素材と硬い素材とを二重に使用する場合がある。
【００３３】
背負いベルト１０、１０の厚みを１０ｍｍ以下として薄くし、背負いベルト１０、１０の内部の素材を緩衝材にすることにより、抱っこ紐を使用している際も、リュックサック１の肩にかかる負荷が軽減され、抱っこ紐の肩にかかる部分の厚みに対しても、背負いベルト１０、１０を肩に掛けやすくなる。また、リュックサック１の背負いベルト１０、１０の幅を５０ｍｍ以下とすることで、背負った際に背負いベルト１０、１０が鎖骨に位置に当たるようになり、肩からの滑落を防止することができる。従来の背負いベルトでは、５０ｍｍ以上のものが一般的であり、幅が広いと背負った際に背負いベルトが鎖骨よりも外側にきてしまい、体格によっては肩から滑落してしまう事があるが、背負いベルト１０、１０を上記構成にすることにより肩からの滑落を防ぐことができ、背負い易さや快適性を実現することが可能となる。なお、背負いベルト１０、１０の幅は４５ｍｍから５０ｍｍ程度が望ましい。また、内部の緩衝材について、柔らかい素材だけのタイプは主に女性に好適であり、柔らかい素材と硬い素材との二重のタイプは男性に好適である。  
【００３４】
背負いベルト１０、１０の下端部には、テープ１１、１１が縫着されている。テープ１１、１１と背負いベルト１０、１０とは、２ヶ所において縫着されていて、テープ１１、１１の非固着部分１２、１２は背負いベルト１０、１０との間に隙間を有している。この隙間を利用して、カラビナなどを取り付けることができる。また、テープ１１、１１の下端部は背負い面２の両下端に形成されたテープ接続部１８、１８と固着されている。テープ１１、１１は、着脱自在なバックル１３、１３を備えており、分離可能に形成されている。
【００３５】
図２は、バックル１３、１３が分離して背負いベルト１０、１０と背負い面２とが接続されていない状態を示したものである。この状態において、背負いベルト１０、１０は、湾曲部１４、１４において自重により互いに交差するように構成されている。
【００３６】
バックル１３、１３を分離することによりテープ１１、１１と背負いベルト１０、１０の接続を解除することにより、抱っこ紐とリュックサック１とを重ねて背負っている場合でも、抱っこ紐を外すことなくリュックサック１だけを体から下ろすことが可能となる。また、右の上側のバックル１３と左の下側のバックル１３又は左の上側のバックル１３と右の下側のバックル１３とを接続することにより、背負ベルト１０を背負い面２に対して斜めに取り付けることができ、リュックサック１をワンショルダーバッグのように使用することが可能となり、片肩で背負った際に重心が安定する。
【００３７】
また、背負いベルト１０、１０にはチェストベルト１５が備えられえいる。チェストベルト１５にはバックル１６が形成されており、着脱可能になっている。チェストベルト１５は、背負いベルト１０、１０の表面上端から下端にかけて設けられたレール１７、１７上をスライドするようになっていて、上端部近接まで移動可能に形成されている。図４はチェストベルト１５をしていない場合、図５はチェストベルト１５をした場合の背負いベルト１０、１０の動きを示したもので、チェストベルト１５を上端部近辺で装着したとき、背負いベルト１０、１０は図５のように上部で固定されて肩から滑落することがなくなる一方で、リュックサック１の下方は体と固定さないので、胸が圧迫されることなくリュックサック１を楽に背負うことができる。また、背負い面２と背中との間に手を挿入することも可能となる。
【００３８】
背負い面２の下方には、ファスナー２１で開閉する第１のポケット２３が形成されている。ファスナー２１は、図示の例では逆Ｕ字状に形成されていて、２つのスライダー２２、２２を有している。２つのスライダー２２、２２を有することにより、リュックサックを背負いながら左右どちらかからでも開閉が可能となる。第１のポケットは、背負っているときは通常背中に接触しているので、財布などの貴重品を入れることにより防犯上有効である他、ポケット内に収納されていることが感触により分かり安心である。
【００３９】
背当て面２の左右両縁部下方には、ファスナー２４、２４で上下方向に開閉するリュックサック１本体の開口部２５、２５がそれぞれ形成されている。ファスナー２４、２４により背負いながら利き腕に関係なくリュックサック１内の荷物を取り出し、または中に入れることが可能となる。また、ファスナー２４、２４の上部には、ファスナーの引手２６、２６収納するスラスポケット２７、２７が設けられている。スラスポケット２７、２７に引手２６、２６をそれぞれ収納することにより、引手が固定され、引手が揺れることによる音鳴り防止と、引手が隠れることにより防犯に効果がある。なお、図示の例では、図面向かって右側の引手２６が右側のスラスポケット２７に収納されている状態であり、左側の引手２６は左側のスラスポケット２７には収納されていない。また、図では、ファスナー２４、２４は背当て面２に形成されているが、両側面４、４に設けても良い。
【００４０】
背当て面２と各背負いベルト１０、１０の上端部との固着面２８、２８の直下において第２のポケット２９が形成されている。第２のポケット２９はリュックサック１本体の下端まで延出形成されていて、リュックサック１を背負ったまま例えば傘などの長いものを入れることができる。また、第２のポケット２９内には、着脱可能なバックル３０を備えたテープ３１が収納されており、テープ３１の両端部は第２のポケット２９内においてリュックサック１本体と縫着されている。例えばフェンスやポール、車のヘッドレストなどにリュックサック１を取り付けたいときに、テープ３１をポケット２９から取り出してバックル３０を分離、装着することで、それらにリュックサック１を掛けることができる。なお、背負いベルト１０、１０は、バックル１３、１３が分離されている状態において、第２のポケット２９内に収納することができる。
【００４１】
背当て面２の下端部には、内部がビニール素材で表装され、ファスナー３２で横方向に開閉する第３のポケット３３が形成されている。ファスナー３２の左端部には、引手３４を収納するスラスポケット３５が設けられていて、引手が揺れることにより発生する音鳴り防止と、引手が隠れることによる防犯に効果がある。図示の例では、引手３４がスラスポケット３５に収納されている状態である。ポケット３３には、例えば濡れたものや汚れたものをリュックサック１を背負ったまま入れるのに便利である。内部がビニール素材で形成されているため、他の部分が濡れることがなく、また汚れても清掃が容易である。
【００４２】
リュックサック１本体の下端部周縁には、折りたたみされた袋状の収納部３６を引き出すためのファスナー３７が形成されている。ファスナー３７を開き、収納部３６を下方に伸ばすことにより図８にあるように収納部３６は展開し、結果としてリュックサック１本体の全長が伸び、上下２室の２層式のリュックサックとなる。収納部３６はファスナー３８を備え、その中に物を収納可能になっている。例えば、上着や抱っこ紐などを収納するのに好適である。ファスナー３８は、図示の例では２つのスライダー３９、３９を備えていて、左右いずれかの一方の手で開閉することが可能になっている。なお、図８は、収納部３６の正面及び側面の展開を表している。
【００４３】
図１０はリュックサック１の右側面図であり、両側面４、４の下方には、下膨れ状の第４のポケット４０、４０が形成されている。第４のポケット４０、４０内にはリュックサック１本体に縫着したＤリング４６が備えられており、キーホルダーなどを収納するのに好適である。
【００４４】
図９は、リュックサック１の正面図であり、前面３の上方縁部にはリュックサック１本体を開閉するためのファスナー４１が前記縁部に沿って逆Ｕ字状に形成されていて、ファスナー４１の両端部が第４のポケット４０、４０の内部まで入り込んで位置している。また、ファスナー４１は２つのスライダーを備えており、リュックサック１の前面開口を閉じているときに、スライダーの引手４２、４２の双方が一方のポケット４０の内部に収納される。これにより、引手４２、４２同士の接触による音鳴りを防止することができるとともに、引手４２、４２が外部から見えづらくなり、また引手４２、４２が隠れて防犯上優れている。
【００４５】
リュックサック１本体の前面３下部には、ファスナーで開閉を行う第５のポケット４３が形成されている。第５のポケット４３内には、内装ポケット（ベタポケット）（図示せず）が形成されていて、小さな物を分けて収納できるようになっている。また、第５のポケット４３は、前方に突出する袋部４４と、その上部開口を覆う蓋部４５とから大略構成され、袋部４４と蓋部４５とはファスナーを介して開閉自在に係着されている。当該ファスナーは、蓋部４５に覆われていて、ファスナーのいずれかの一方の端部周辺には、当該ファスナーのスライダーの引手４６が収納できるスラスポケット（図示せず）が形成されている。これにより引手全体を隠すことができ、デザイン上及び防犯上優れている。
【００４６】
図１１、１２は背当て面２、前面３及び両側面４、４の内側を示したものであり、各内側面にはそれぞれ各種ポケットが形成されていて、貴重品などを安全に収納することができ安心である。
【００４７】
背当て面２の内側７では、ファスナー２４、２４の上端部より低い位置に２つのポケット５０、５１が形成されている。ポケット５０には、ウレウタンフォーム芯材がポケットの袋生地内に内装されており、衝撃を吸収しやすいようになっていて、例えばタブレット等の電子機器を収納するのに最適である。そのため、タブレットの形状に合わせ、略長方形で少なくともＡ４サイズ以上の大きさで形成される。また、ポケット５０の両側にはＤリング５２、５２がそれぞれ設けられており、パスケースや鍵などが装着可能になっている。
【００４８】
ポケット５０の下部を覆うようにして、ポケット５１が設けられている。ポケット５１は横長の略長方形状で形成され、その上縁部にはゴム素材が挿入されていて、収納したものが飛び出しにくくなっているとともに、背負いながら手で探ったときに見つけやすく、収納・取り出しが容易になっている。また、ポケット５１の表面にはマチが形成され、大きなものやかさばるものが収納できるように構成されている。ポケット５１には、例えば第１のポケットでは入りきらない大きさの財布などの貴重品を収納するのに好適であり、リュックサック１を背負いつつ、片手でファスナー２４、２４を開けてその中へ貴重品等の物を収納したり、取り出したりすることができる。
【００４９】
また、背当て面２の内側７上部にはファスナー５３で開閉を行うポケット５４が形成されている。ポケット５４には、スマートフォンやパスケースなどの貴重品を収納するのが好適である。
【００５０】
前面３の内側８にはポケット６０が形成されている。ポケット６０は、リュックサック１を前が抱えして前面開口を開口した際に胸元に位置ように設けられており、物の取り出し、収納が容易になるようになっている。特に保険証やそれらが入ったポーチなどを収納するのに好適である。ポケット６０の上端部には、Ｄリング６５が設けられていて、鍵などを装着可能になっている。また、ポケット６０の上面にはファスナー６１で開閉を行うメッシュ状のポケット６２が連設されており、内容物が容易に確認できるようになっている。
【００５１】
ファスナー２４、２４の直近であって、両側面４、４の内側９、９には、上縁部６３、６３にゴム素材を内装したポケット６４、６４がそれぞれ形成されている。背当て面開口部２５、２５からすぐ近くにあるため、リュックサック１を背負った状態で開口部２５、２５から手を入れて、例えば財布のような物の出し入れをすることができる。
【００５２】
以上、本発明の実施例につき図面など参照して詳細に説明したが、本発明はこれに限定されず、特許請求の範囲に記載した構成の範囲内において様々な態様で実施することができる。
【産業上の利用可能性】
【００５３】
本発明によれば、リュックサックとしてだけでなく、ワンショルダーバックとしても利用可能なので、場面に応じていろいろな使い分けをすることができる。
【符号の説明】
【００５４】
１        リュックサック
２        背当て面
３        前面
４        両側面
５        底面
６        上面
７        背当て面内側面
８        前面内側面
９        両側面内側面
１０      背負いベルト
１５      チェストベルト
２３      ポケット
２５      背負い面開口部
２７      スラスポケット
３３      ポケット
３５      スラスポケット
３６      折りたたみ収納部
【図１】
2020069037.tif 000003
【図２】
2020069037.tif 000004
【図３】
2020069037.tif 000005
【図４】
2020069037.tif 000006
【図５】
2020069037.tif 000007
【図６】
2020069037.tif 000008
【図７】
2020069037.tif 000009
【図８】
2020069037.tif 000010
【図９】
2020069037.tif 000011
【図１０】
2020069037.tif 000012
【図１１】
2020069037.tif 000013
【図１２】
2020069037.tif 000014